(57)【特許請求の範囲】
【請求項１】
電池の負極活物質であるマグネシウム箔を、絶縁フィルムと重ね合わせて、帯状のマグネシウム複合膜を形成し、
前記マグネシウム箔を、一定のパターンで絶縁分離して、連続して並ぶ複数のマグネシウム箔ブロックとし、
前記マグネシウム複合膜の前記絶縁フィルムの面に接触していて、良導体の電極ロールから成る負電極が有り、
前記負電極と前記マグネシウム箔の間の電気的な接触を保つ手段を持ち、
前記マグネシウム複合膜の前記マグネシウム箔の面に接触しているセパレータ並びに活性炭素および良導体を、この順序で重ねて正電極とし、
前記セパレータには電解液が満たされており、
前記負電極と前記正電極の位置は固定されており、常に対向して前記マグネシウム複合膜を挟みつけており、
前記負電極および前記正電極は、前記複数のマグネシウム箔ブロックの内、１つの前記マグネシウム箔ブロック又は同時に連続する２つの前記マグネシウム箔ブロックと接触し、前記マグネシウム複合膜が一定方向に移動しても、発電作用を継続できるマグネシウム電池において、
前記マグネシウム複合膜を前記負電極および前記正電極が挟み付ける位置を、前記負電極および前記正電極が１つ又は同時に連続する２つの前記マグネシウム箔ブロックと接触している位置から、該接触している１つ又は２つの前記マグネシウム箔ブロックに隣接する前後２つの前記マグネシウム箔ブロックの内、任意の1つの隣接前記マグネシウム箔ブロックと接触する位置に移動する手段を備え、
発電中に前記マグネシウム複合膜を前記負電極および前記正電極が挟み付ける位置を、前記負電極および前記正電極が１つ又は同時に連続する２つの前記マグネシウム箔ブロックと接触している位置から、該接触している１つ又は２つの前記マグネシウム箔ブロックに隣接する前後２つの前記マグネシウム箔ブロックの内、マグネシウム消耗済の隣接前記マグネシウム箔ブロックと接触する位置に移動させ、発電作用を停止でき、
発電作用停止中に、前記マグネシウム複合膜を前記負電極および前記正電極が挟み付ける位置を、前記負電極と前記正電極が前記１つまたは同時に連続する２つの前記マグネシウム箔ブロックと接触している位置から、該接触している１つ又は２つの前記マグネシウム箔ブロックに隣接する前後２つの前記マグネシウム箔ブロックの内、マグネシウム未使用の隣接マグネシウム箔ブロックと接触する位置に移動させ、発電を再開できることを、
特徴とするマグネシウム電池。
【請求項２】
請求項１に記載したマグネシウム電池であって、
該マグネシウム複合膜を前記負電極ならびに前記正電極が挟み付ける位置を移動する手段として、前記マグネシウム複合膜を巻き戻すアンコイラー、並びに巻き取るリコイラーを有する
ことを特徴とするマグネシウム電池。
【請求項３】
請求項２に記載したマグネシウム電池を筐体の中に収めて一定の大きさのパッケージとし、
複数の前記パッケージを収納できるラックと、
複数の前記パッケージを組合せて運転する制御装置を備えており、
該運転継続中に複数の前記パッケージの内、任意の一の前記パッケージを、前記ラックから個別に抜き取って、予備の前記パッケージと交換できる構造であることを特徴とする電池システム。
【発明の詳細な説明】
【技術分野】
【０００１】
本発明は、マグネシウム電池および電池システムに関するものである。特に、発電の開始および停止が任意に選択できる機構を持ったマグネシウム電池および電池システムに関するものである。
【背景技術】
【０００２】
マグネシウム電池は、エネルギー密度が高く、安全性も高い。材料のマグネシウムは資源的に極めて豊富で安価である。また軽量である。
【０００３】
マグネシウム電池では、発電することで酸化マグネシウムまたは水酸化マグネシウムを生成するが、これらは高温にすることで再びマグネシウムに転換することが可能であり、循環型の電池材料として期待されている。
【０００４】
しかし、マグネシウム電池は電解液があると空気中の酸素と反応してしまい、自己放電が大きく、保存性がよくない。
【０００５】
そのため、常時は電解液の無い状態で保存し、使用するときだけ電解液を注入する方法がある。例えば、特開２００６−４８１５に示された注水電池では、正極に塩化銀または塩化鉛、負極にマグネシウムを使用した一次電池であり、電解質溶液を含まない状態で保存され、海水や真水に浸漬することで放電が開始される。
【０００６】
このように、電解液を一旦注入して、放電が始まってしまうと、負荷回路をつながなくとも自己放電で消耗してしまうという問題がある。
【０００７】
また、特表２００５−５２７０６９には、別の例として、保管中に実質的に劣化せず、水を加えるだけで活性化して最小限の遅延で全電力を配給する、動作延期乾電池が開示されている。
【０００８】
この技術は、１つのセルだけではなく複数のセルを活性化することができると述べているが、電解液を一旦注入して、放電が始まってしまうと、上に述べたように負荷回路をつながなくとも自己放電で消耗してしまうという問題は同じである。
【先行技術文献】
【特許文献】
【０００９】
【特許文献１】特許公開公報２００６‐４８１５号
【特許文献２】特許公表公報２００５−５２７０６９号
【発明の概要】
【発明が解決しようとする課題】
【００１０】
本発明が解決しようとする課題は、マグネシウム電池において、保有するマグネシウムの全部を一度に活性化してしまうのではなく、一部を活性化して、発電中の任意の時点で発電を停止し、また任意の時点で発電を開始できるようにすることである。
【００１１】
また、第２の課題は、マグネシウム電池を含むパッケージを交換可能として、連続的に発電する事が可能な電池システムを提供することである。
【課題を解決するための手段】
【００１２】
本発明は、
電池の負極活物質であるマグネシウム箔を、絶縁フィルムと重ね合わせて、帯状のマグネシウム複合膜を形成し、
前記マグネシウム箔を、一定のパターンで絶縁分離して、連続して並ぶ複数のマグネシウム箔ブロックとし、
前記マグネシウム複合膜の前記絶縁フィルムの面に接触していて、良導体の電極ロールから成る負電極が有り、
前記負電極と前記マグネシウム箔の間の電気的な接触を保つ手段を持ち、
前記マグネシウム複合膜の前記マグネシウム箔の面に接触しているセパレータ並びに活性炭素および良導体を、この順序で重ねて正電極とし、
前記セパレータには電解液が満たされており、
前記負電極と前記正電極の位置は固定されており、常に対向して前記マグネシウム複合膜を挟みつけており、
前記負電極および前記正電極は、前記複数のマグネシウム箔ブロックの内、１つの前記マグネシウム箔ブロック又は同時に連続する２つの前記マグネシウム箔ブロックと接触し、前記マグネシウム複合膜が一定方向に移動しても、発電作用を継続できるマグネシウム電池において、
前記マグネシウム複合膜を前記負電極および前記正電極が挟み付ける位置を、前記負電極および前記正電極が１つ又は同時に連続する２つの前記マグネシウム箔ブロックと接触している位置から、該接触している１つ又は２つの前記マグネシウム箔ブロックに隣接する前後２つの前記マグネシウム箔ブロックの内、任意の1つの隣接前記マグネシウム箔ブロックと接触する位置に移動する手段を備え、
発電中に前記マグネシウム複合膜を前記負電極および前記正電極が挟み付ける位置を、前記負電極および前記正電極が１つ又は同時に連続する２つの前記マグネシウム箔ブロックと接触している位置から、該接触している１つ又は２つの前記マグネシウム箔ブロックに隣接する前後２つの前記マグネシウム箔ブロックの内、マグネシウム消耗済の隣接前記マグネシウム箔ブロックと接触する位置に移動させ、発電作用を停止でき、
発電作用停止中に、前記マグネシウム複合膜を前記負電極および前記正電極が挟み付ける位置を、前記負電極と前記正電極が前記１つまたは同時に連続する２つの前記マグネシウム箔ブロックと接触している位置から、該接触している１つ又は２つの前記マグネシウム箔ブロックに隣接する前後２つの前記マグネシウム箔ブロックの内、マグネシウム未使用の隣接マグネシウム箔ブロックと接触する位置に移動させ、発電を再開できることを、特徴とするマグネシウム電池。
【００１３】
また、本発明は、
前記のマグネシウム電池を筐体の中に収めて一定の大きさのパッケージとし、
複数の前記パッケージを収納できるラックと、
複数の前記パッケージを組合せて運転する制御装置を備えており、
運転継続中に、複数の前記パーケージの内、任意の一の前記パッケージを個別に前記ラックから抜き取って、予備の前記パッケージと交換できる構造である
ことを特徴とする電池システム。
【発明の効果】
【００１４】
本発明のマグネシウム電池は、保有するマグネシウムの全部を一度に活性化してしまうのではなく、一部分を発電作用に供給し、それが消耗した時点で発電作用を停止し、また必要なときに、次の一部分を発電作用に供給することで、継続した発電作用が可能であるマグネシウム電池を実現できる。
【００１５】
また、前記のマグネシウム電池の機構をパッケージ化して、マグネシウムが消耗したパッケージを個別に適宜交換することが可能で、常に運転を継続できる電池システムを提供できる。
【図面の簡単な説明】
【００１６】
【図１】マグネシウム電池の見取図
【図２】マグネシウム箔のブロックのパターンを示す図
【図３】マグネシウム箔のブロックの斜めパターンを示す図
【図４】電極ロールの断面図
【図５】正極ボックスの構造を示す図
【図６】高電圧を発生するマグネシウム箔のブロックのパターンを示す平面図
【図７】高電圧を発生する電極ロールの断面図
【図８】電池システムの外形図
【図９】電池システムの電気ブロック図
【図１０】電極ロールとマグネシウム箔の接触状態の拡大図
【発明を実施するための形態】
【実施例１】
【００１７】
本発明の第１の実施例を、以下に図をもって説明する。図１は本発明によるマグネシウム電池の見取図である。以下の説明では、マグネシウム箔のパスラインの位置、あるいは相互の位置を説明するとき、上側あるいは下側というのは、図１における上側あるいは下側とする。
【００１８】
図１に示すように、マグネシウム電池の主要な機構は、電池の発電作用の原料となる帯状のマグネシウム複合膜３と、マグネシウム複合膜３を移動する手段を構成するアンコイラー１１、ガイドロール１２、ガイドロール１３、ガイドロール１４、およびリコイラー１７と、アンコイラーを収納する密閉ボックス１８と、負電極となる電極ロール１５ならびに正電極となる正極ボックス１６で構成されている。
【００１９】
アンコイラー１１およびリコイラー１７を駆動する機構としては、電気モータあるいはゼンマイを使うことができる。煩瑣となることを避けて、これらを図示しない。
【００２０】
マグネシウム複合膜３はマグネシウム箔と絶縁フィルムを貼り合わせて帯状に形成したものである。アンコイラー１１に巻回されたマグネシウム複合膜３は密閉ボックス１８に収納されている。密閉ボックス１８は、内部に不活性ガスを充填し、マグネシウム箔３０を外気から遮断して、マグネシウムの自然酸化を防止する。密閉ボックス１８には、気密シール１９を備えてあり、帯状のマグネシウム複合膜３はこれを通過して外部に引き出すことができ、そのとき外部の空気は密閉ボックス１８には侵入しない。
【００２１】
巻回された直径が小さくなっても、マグネシウム複合膜３のパスラインは図１で示すように、ガイドロール１２の上側を通っていて一定なので、常に気密シール１９に正対し、気密シール１９が正しく動作するようなっている。
【００２２】
気密シール１９を通過したマグネシウム複合膜３は、順にガイドロール１３の上側、電極ロール１５の下側、ガイドロール１４の上側を通る。
【００２３】
電極ロール１５は、２つのガイドロール１３、ガイドロール１４との間に位置し、前記２つのガイドロールの上面を直線でつなぐパスラインより、下側にオフセットした位置にある。
【００２４】
これによって、マグネシウム複合膜３のパスラインは下側に曲げられており、その結果、マグネシウム複合膜３上のマグネシウム箔３０と電極ロール１５とは同ロールの回転角の広い範囲で接触している。
【００２５】
ガイドロール１４の上側を通ったマグネシウム複合膜３はリコイラー１７で巻き取られる。アンコイラー１１からリコイラー１７までマグネシウム複合膜３が連続してつながっているので、両コイラーの速度を適正に合わせて、また適切な張力制御を行えば、安定的に移動と停止が可能である。
【００２６】
図４に電極ロール１５の断面図を示す。電極ロール１５は中心に電極ロール軸１５１があり、その外側を絶縁層１５２が取り巻き、さらにその外側を電極１５０が取り巻いている構造である。電極１５０は良導体であり、絶縁層１５２は絶縁体である。絶縁層１５２を置くのは、電池の負極を、図示しない他の構造部分との間を電気的に絶縁するためである。
【００２７】
電極ロール軸１５１と絶縁層１５２は一体の絶縁材を加工したのものでも良い。または、電極ロール１５全体を良導体として、図示しないピーロブロックと、その受け座の間を絶縁しても良い。
【００２８】
絶縁された配線１５４が、絶縁層１５２と電極ロール軸１５１に作られた穴を貫通して、電極ロール軸１５１の軸端に近い位置にある電極ロール軸１５１からは絶縁されたスリップリング１５５と、電極１５０とを接続している。
【００２９】
図４（ｂ）は、電極１５０の両端に近い位置の見取り図である。電極１５０の端近くの周上に突起１５７が一定の間隔で並んでいる。この突起１５７は、後述するように、マグネシウム箔に重ね合わせて裏打ちをしている絶縁フィルムを越えて、電極１５０とマグネシウム箔の電気的な導通を取るために使われる。
【００３０】
図１に示すように、正極ボックス１６は、マグネシウム複合膜３を挟んで、電極ロール１５と正対する位置にある。正極ボックス１６は、押付機構１６８によって、電極ロール１５の方向に一定の力で押し付けられる。図では、正極ボックス１６を左右に動かないように支持する機構、押付機構１６８を縦方向に支持する機構は省略してある。
【００３１】
図５に正極ボックスの構造を示す。図５（ａ）に示すように、正極ボックス１６の外形をなす正極筺体１６１は、天井の無い箱を円周に沿って曲げ加工したような形状をしている。正極筺体１６１は、絶縁物で作られている。
【００３２】
正極筺体１６１の縁の１ヶ所には、電解液補充パイプ１６６が接続されており、電解液補充機構１６５と正極筺体１６１を接続している。電解液補充機構１６５から、電解液補充パイプ１６６の内部を通って、電解液（水）が正極ボックス１６に向かって供給される。
【００３３】
図５（ｂ）に正極ボックス１６の断面を示す。正極ボックス１６は、マグネシウム箔に対向する方（図で上から）から順に、セパレータ１６４、活性炭素１６３、良導体１６２ならびに正極筺体１６１で構成されている。セパレータ１６４は、腰の強いフエルト状の布または細い合成繊維を密に絡ませた織布または不織布または紙など電解液が通過できる材質からなっている。良導体１６２の材質は、銅またはステンレス鋼が適しているが、これに限定しない。
【００３４】
図５（ｃ）に、図５（ｂ）に破線の円で囲んだ部分を拡大した、正極ボックス１６の部分断面図を示す。セパレータ１６４は。正極筐体１６１の上側の面（電極ロール１５と対向する面）より、距離gだけ上側に突き出している。
【００３５】
マグネシウム複合膜３のマグネシウム伯３０が下側の面になるように配置されている。したがって、押付機構１６８によって、正極ボックス１６を上向きに電極ロール１５の方向に押し付けると、セパレータ１６４がマグネシウム伯３０に接触し、正極筐体１６１は接触しないので摩擦することが無く、マグネシウム複合膜３の移動に支障が無い。
【００３６】
正極筺体１６１の内部は、電解液補充機構１６５から来る電解液（水）で満たされており、毛細管現象によって電解液（水）がセパレータ１６４の上側の表面にも達している。
【００３７】
図５（ｂ）に示すように、正極筺体１６１の外部の一部には端子１６７が有って、一番下側の良導体１６２との間が電気的に接続されている。
【００３８】
次に、マグネシウム複合膜３について説明する。図２（ａ）に、帯状のマグネシウム箔３０をブロックに分離する平面パターンを示す。絶縁フィルム４０を重ね合わせることで裏打ちされたマグネシウム箔３０は長手方向に一様ではなく、図に示すように、長手方向に対して直角方向の隙間３０１で区切られて、ブロックに分割されている。絶縁フィルム４０は、区切られておらず、一様な帯状である。
【００３９】
図２（ｂ）は、図２（ａ）のＡ-Ａ’で示す位置の断面図である。ブロックとブロックの間には隙間３０１が有り、マグネシウム箔３０と同等の厚さの絶縁フィルム４０が連続して、マグネシウム箔３０を載せる基板となっている。絶縁フィルム４０は、絶縁性のプラスチックフィルムで作られている。
【００４０】
この結果、マグネシウム箔３０のブロックは、隣同士が電気的に絶縁されている。
【００４１】
また、マグネシウム複合膜３には、図２（ａ）に示されているように、映画フィルムのパーフォレーションのように、両側の縁に沿って、穴３０２が２列に一定の間隔で開けられている。（図２では、輻輳を避けるため１つの穴にだけ符号を付けてある）穴３０２の長手方向の間隔は、電極ロール１５の電極１５０に設置された突起１５７の周方向の間隔に一致しており、また、２列の穴３０２同士の間隔は、電極ロール１５の電極１５０の長手方向（マグネシウム複合膜３の幅方向）の突起１５７同士の距離と一致している。
【００４２】
マグネシウム複合膜３は、移動するとき、アンコイラー１１から送り出され、映画フィルムのように、電極１５０の突起１５７をスプロケットとして、マグネシウム複合膜３の穴３０２がそれに噛み合って送られ、リコイラー１７で巻き取られる。
【００４３】
マグネシウム複合膜３は図２（ｂ）に示す姿勢、すなわち絶縁フィルム４０が上側に有って電極ロール１５と接触し、マグネシウム箔３０が下側に有って正極ボックス１６に接触する姿勢で配置されている。マグネシウム複合膜３がある位置で停止しているとき、電極ロール１５とは図２（ａ）の二点鎖線で挟まれた範囲で接触している。この接触範囲と、マグネシウム複合膜３を挟んで反対側に有る正極ボックス１６のセパレータ１６４がマグネシウム箔と接触する範囲は一致している。また、
【００４４】
電極ロール１５とマグネシウム箔３０の間の電気的な接触を保つ手段を説明する。図１０（ａ）において破線で示した円内を拡大した断面図を、図１０（ｂ）にこのときの
状態を示してある。絶縁フィルム４０が、電極面１５０Ｓとマグネシウム箔３０の間に挟まれている。
【００４５】
このとき、突起１５７は穴３０２を通ってマグネシウム箔３０の有る側に突き出しており、マグネシウム箔３０と接触して、電気的に導通している。確実に接触して導通するために、マグネシウム箔３０の開けた穴３０２の直径は、電極ロール１５の突起１５７の直径より僅かに小さくしてある。
【００４６】
上に説明したごとく、このような各部材の構造で、図１のように配置されているとき、電極ロール１５、マグネシウム箔３０、正極ボックス１６の３つによって電池が構成され、発電作用が開始され、正極リード線２１ならびに負極リード線２０を負荷に接続すれば、電流が流れる。
【００４７】
このとき、正極ボックス１６の押し付け圧力が出力電圧への影響が大きいので、押付機構１６８によって強く押しつける。セパレータ１６４は正極筺体１６１から飛び出しているので、正極筺体１６１はマグネシウム箔３０には接触しないので、マグネシウム複合膜３の移動時も摩擦せず、移動を妨げない。
【００４８】
このとき、発電作用に寄与しているマグネシウムは、電極ロール１５ならびに正極ボック
ス１６に接触している部分、すなわち図２（ａ）にニ点鎖線で挟まれた部分を含む接触範
囲のブロックのみである。したがって、当該のブロックのマグネシウムの全てが化学反応
によって酸化マグネシウムまたは水酸化マグネシウムに変わると、発電作用は自動的に停止する。
【００４９】
また、動作中にマグネシウム複合膜３を図２で左側に移動すると、接触位置はマグネシウム箔３０の上で右隣りのブロックに変わる。図１の構成では、使用された後のブロックは右に移動するようになっているので、これはマグネシウムを消耗したブロックであるから、直ちに発電作用が停止する。
【００５０】
逆に、マグネシウムが消耗して、発電作用が停止しているマグネシウム複合膜３を図２で右側に移動すると、接触位置はマグネシウム箔３０の上で左隣りのブロックに移動する。これは、マグネシウムが未使用のブロックであるので、発電作用が再度開始される。このようにして任意の時点で、発電作用の開始と停止を選択できる。
【００５１】
電池の電流容量は、電極ロール１５、マグネシウム箔３０ならびに正極ボックス１６の幅によって決まるので、幅を大きくすれば、大きな電流が得られる。
【実施例２】
【００５２】
第２の実施例では、マグネシウム箔３０をブロック化するパターンの違いを除いて、他のマグネシウム電池の各部材、や機構は同じものが使われる。
【００５３】
図３に、マグネシウム箔３０のブロックを分離する隙間が、帯状の長手方向に対して傾斜しているパターンを示す。図３（ａ）に示した、二点鎖線で挟まれた部分が、電極ロール１５ならびに正極ボックス１６と接触する。
【００５４】
このとき、接触範囲は確実に２つのブロックにまたがるので、マグネシウム箔３０を移動しても、発電作用が途中で停止することが無い。
【００５５】
実施例１においても接触部分が十分に大きく、隙間３０１が相対的に小さければ、マグネシウム箔３０を移動しても、２つのブロックに同時に接触する状態が可能であり、発電作用が途中で停止することが無い設計となっていたが、接触範囲の長手方向の長さより、マグネシウム箔隙間３０１の幅が広い設計とすると、移動すると発電作用が途中で停止する状態が発生する。本実施例では、そのような危険を避けることができる。
【実施例３】
【００５６】
次に、第３の実施例として１つの電池で、セル電圧以上の電圧を発生する技術を説明する。図６は、高電圧を発生するためのマグネシウム箔３０のパターンを示す平面図である。
【００５７】
マグネシウム箔３０は、長手方向に斜めにブロック化されているのに加えて、幅方向にも区切られている。それぞれのブロックは長手方向、幅方向の両方の隣接するブロックと電気的に絶縁されている。
【００５８】
図７に、高電圧を発生するための電極ロール１５の断面図を示してある。実施例１と同じように、電極ロール１５は中心に電極ロール軸１５１があり、その外側を絶縁層１５２が取り巻き、さらにその外側を幅方向に複数に絶縁環１５３によって分割された電極１５０が取り巻いている構造である。電極１５０は導電性であり、絶縁層１５２は絶縁体である。
【００５９】
第１および第２の実施例と異なるのは、電極ロール１５の電極１５０は、図６に示したマグネシウム箔３０のパターンと幅方向の同じ位置で、絶縁環１５３によって４つに輪切りの状態にされて、隣同士が電気的に絶縁されている点である。
【００６０】
絶縁された４本の配線１５４が、絶縁層１５２と電極ロール軸１５１に作られた穴を貫通して、電極ロール軸１５１の軸端に近い位置にある、電極ロール軸１５１からは絶縁された４つのスリップリング１５５と、４つの電極１５０とを、それぞれ結んでいる。
【００６１】
図示していないが、同様に、正極ボックスも１６もマグネシウム箔３０の幅方向の同じ位置で４つに分割されている。１つの電極１５０は１つの正極ボックス１６と正対している。こうして、幅方向に、複数（図では４つ）のマグネシウム電池のセルが並んでいることになる。これらを直列に接続すれば、１つのセル電圧の４倍の電圧の電池が得られる。
【００６２】
マグネシウム箔３０、電極ロール１５の電極１５０ならびに正極ボックス１６が同じように分割されていて、それぞれが１対１で正対していれば良いので、分割の数は４つに限らない。このとき、セルを全て直列に接続すれば、セル電圧の分割数倍の電圧の電池が得られる。
【実施例４】
【００６３】
図８に、電池システム５の外形図を示す。上に述べたマグネシウム電池１を、筐体の中に収めて一定の大きさの電池パッケージ５１とし、複数の電池パッケージ５１が収納できるラック５２に収納する。
【００６４】
内部に保有していたマグネシウムが消耗した電池パッケージ５１は、図８の一番左側に図示するように、ラック５２から個別に抜き取って、新しいものと交換することができる。
【００６５】
図９は、電池システム５の電気ブロック図を示す。ラック５２の内部には、図示しないコントローラ５３を備えており、各電池パッケージ５１の状態の監視、電圧および電流の制御を行う。コントローラ５３を動作させ、また各電池パッケージ５１を動作させる電源５３６は、専用の電池を内蔵している。
【００６６】
各電池パッケージ５１の出力は接続切替部５３１によって、電気的手段または手動設定により直列または並列接続を切り替えることができて、所望の電池システム５の出力電圧を選択が可能である。
【００６７】
電圧監視部５３２は各電池パッケージ５１の出力電圧を監視し、その監視結果の信号を制御部５３１に送る。電流監視部５３３は各電池パッケージ５１の出力電流を監視し、その監視結果の信号を制御部５３１に送る。制御部５３１は、それらの信号によって、電池パッケージ５１の状態を監視し、その結果を接続切替部５３４に送って、出力を制御し、またはラック５２に設置された表示部５３５に表示する。
【００６８】
監視する項目は、例えば、電圧不足、渦電流などであるが、これに限らない。
【産業上の利用可能性】
【００６９】
任意の時点で、発電したり停止したりすることのできる電池および電池システムとして利用できる。電池の活物質であるマグネシウムは、還元して再使用できる循環型エネルギー資源として利用できる。
【符号の説明】
【００７０】
１  マグネシウム電池
１１  アンコイラー
１２  ガイドロールＡ
１３  ガイドロールＢ
１４  ガイドロールＣ
１５  電極ロール
１５０  電極
１５０Ｓ 電極面
１５１  電極ロール軸
１５２  絶縁層
１５３  絶縁環
１５４  配線
１５５  スリップリング
１５６  軸受
１５７  突起
１６  正極ボックス
１６１  正極筺体
１６２  良導体
１６３  活性炭素
１６４  セパレータ
１６５  電解液補充機構
１６６  電解液補充パイプ
１６７  端子
１６８  押付機構
１７  リコイラー
１８  密閉ボックス
１９  気密シール
２０  負極リード線
２１  正極リード線
３    マグネシウム複合膜
３０  マグネシウム箔
３０１  マグネシウム箔隙間
３０２  穴
４０  絶縁フィルム
５  電池システム
５１  電池パッケージ
５２  ラック
５３  コントローラ
５３１  制御部
５３２  電圧監視部
５３３  電流監視部
５３４  接続切替部
５３５  表示部
５３６  電源
【要約】
【課題】マグネシウム電池において、発電中の任意の時点で発電を停止し、また開始すること可能にする。また、マグネシウム電池を含むパッケージを交換可能として、連続的に発電する電池システムを提供することである。
【解決手段】マグネシウム箔を帯状に形成し、直角方向または斜め方向に置いた絶縁パターンで分割して、お互いに絶縁されたブロックとする。マグネシウム箔の一方の面には、負電極を接触させ、他方には、セパレータおよび活性炭素および良導体を重ねた正電極を接触させ、両電極のマグネシウム箔との接触点を、１つのブロックから、隣のブロックに移動することで、自由に発電を開始／停止する。
【選択図】図１【図１】
0005386028.tif 000002
【図２】
0005386028.tif 000003
【図３】
0005386028.tif 000004
【図４】
0005386028.tif 000005
【図５】
0005386028.tif 000006
【図６】
0005386028.tif 000007
【図７】
0005386028.tif 000008
【図８】
0005386028.tif 000009
【図９】
0005386028.tif 000010
【図１０】
0005386028.tif 000011